(57)【要約】【課題】  構造が簡易で、かつ用紙ジャムの発生が抑制された画像形成装置を提供する。【解決手段】  第１の用紙搬送経路を通過してきた記録媒体上に、黒を除くカラートナー像を転写する第１画像形成部と、第１画像形成部でトナー像の転写を受けた記録媒体上、および第１画像形成部を避けた第２の搬送経路を通過してきた記録媒体上に黒トナーによるトナー像を形成する第２画像形成部とを備え、第２画像形成部は、第１画像形成部によりトナー像の転写を受けた記録媒体上に黒トナー像を転写する第１画像形成部に近接した第１の転写部と、第２の搬送経路を通過してきた記録媒体上に黒トナー像を、第１の転写部における、記録媒体への、転写元のトナー像担持体と同一のトナー像担持体から転写する第２の転写部とを有している。【選択図】        図５
2005114760.tif 000002
【特許請求の範囲】
【請求項１】
トナー像を形成し該トナー像を記録媒体上に転写して定着することにより該記録媒体上に定着トナー像からなる画像を形成する画像形成装置において、
記録媒体が収容される媒体収容部と、
黒トナーを除く複数色のカラートナーを用いてカラートナー像を形成し、前記媒体収容部から繰り出され第１の用紙搬送経路を通過して搬送されてきた記録媒体上に該カラートナー像を転写する第１画像形成部と、
黒トナーによるトナー像を形成し、前記第１画像形成部によりトナー像の転写を受けた記録媒体上、および前記媒体収容部から繰り出され前記第１画像形成部を避けた第２の搬送経路を通過して搬送されてきた記録媒体上に該黒トナーによるトナー像を形成する第２画像形成部とを備え、
前記第２画像形成部は、前記第１画像形成部によりトナー像の転写を受けた記録媒体上に黒トナーによるトナー像を転写する相対的に前記第１画像形成部に近接した第１の転写部と、前記第２の搬送経路を通過して搬送されてきた記録媒体上に黒トナーによるトナー像を、前記第１の転写部における、記録媒体への、転写元のトナー像担持体と同一のトナー像担持体から転写する相対的に第１画像形成部から離れた第２の転写部とを有するものであることを特徴とする画像形成装置。
【請求項２】
前記第１搬送経路と前記第２搬送経路は、前記媒体収容部近傍において該媒体収容部から見て相互に反対側に設けられたものであって、前記媒体収容部に収容された記録媒体を前記第１搬送経路側に繰り出して該第１搬送経路に渡す該第１繰出部と、前記媒体収容部に収容された記録媒体を前記第１繰出部による繰り出す方向とは反対の方向に繰り出して前記第２搬送経路に渡す第２繰出部とを備えたことを特徴とする請求項１記載の画像形成装置。
【請求項３】
前記第２画像形成部における記録媒体へのトナー像の転写元となるトナー像担持体は、循環移動する無端ベルト状の部材であることを特徴とする請求項１記載の画像形成装置。
【請求項４】
前記第２画像形成部により黒トナーのトナー像の転写を受けた後の記録媒体上のトナー像を定着する定着器を備え、該定着器は、前記第１の転写部よりも前記第２の転写部に近接した位置に配備されたものであることを特徴とする請求項１記載の画像形成装置。
【発明の詳細な説明】
【技術分野】
【０００１】
本発明は、トナー像を形成し該トナー像を記録媒体上に転写して定着することにより該記録媒体上に定着トナー像からなる画像を形成する画像形成装置に関する。
【背景技術】
【０００２】
従来より、カラー画像を形成するための画像形成装置が広く普及してきている。
【０００３】
このような画像形成装置には、例えば、Ｃ（シアン）、Ｍ（マゼンタ）、Ｙ（イエロー）、およびＫ（黒）の４色に対応して配備された４つの画像形成部にトナー像の形成を分担させ、それら４色分のトナー像を中間転写体上に重ねた上で用紙上に一括転写したのちに定着を行なう、いわゆるタンデム方式と呼ばれるフルカラー画像対応の画像形成装置がある。このタンデム方式の画像形成装置の場合、４つの画像形成部が各色ごとのトナー像の形成を分担しているため４色分のトナー像を同時に形成することができ、高速化に向いている。
【０００４】
ここで、このようなフルカラー画像の形成が可能な画像形成装置の中には、モノクロ画像の形成動作がフルカラー画像の形成動作とは異なるものがある（例えば、特許文献１、特許文献２、特許文献３、および特許文献４参照。）。
【０００５】
図１は、特許文献１に提案されている画像形成装置の概略構成図である。
【０００６】
図１に示す画像形成装置１には、張架ロール１７１によって所定のルートを循環するトナー像担持体である感光体ベルト１７、感光体ベルト１７に所定の電荷を与える帯電器１６、帯電された感光体ベルト１７を露光する露光器１５、Ｃ（シアン）担当の現像器１１、Ｍ（マゼンタ）担当の現像器１２、Ｙ（イエロー）担当の現像器１３、Ｋ（黒）担当の現像器１４、および、感光体ベルト上に形成されたトナー像が一次転写される中間転写体１８、中間転写体上に一次転写されたトナー像を記録用紙３０上に二次転写するカラー用の二次転写ロール１９が示されている。
【０００７】
この画像形成装置１では、カラー画像の形成時には、感光体ベルト上にＣ、Ｍ、Ｙ、Ｋ各色のトナー像を順次形成すると共に、順次、時計回りに回転する中間転写体上の同じ位置に一次転写されて積層トナー像が形成される。この積層トナー像は、ルートＢに沿って搬送ローラ２４により搬送されてくる記録用紙３０にカラー用の二次転写ロール１９によって一括して記録用紙上に二次転写される。このルートＢは、装置底部に備えられた用紙収容トレイ２６から引き出しロール２５によって用紙が引き出される方向とは反対の方向に向かいその後垂直に上昇する経路である。その後、積層トナー像が転写された記録用紙３０は、カラー画像形成用の定着器２０を通過することでカラー画像の定着が行なわれた後排紙トレイ２３に排出される。
【０００８】
一方、この画像形成装置１では、モノクロ画像の形成時には、上記感光体ベルト上においてＫのみのトナー像が形成された後、上記中間転写体１８への一次転写を行なうことなく、用紙収容トレイ２６から引き出されてそのまま垂直方向に向かう経路であるルートＡに沿って搬送されてくる記録用紙３０上に、モノクロ用の転写ロール２２による直接転写が行なわれる。その後、黒トナー像が転写された記録用紙３０がモノクロ画像形成用の定着器２１を通過することでモノクロ画像の定着が行なわれた後排紙トレイ２３に排出される。
【０００９】
この画像形成装置１では、上述のように、モノクロ画像形成時には中間転写体１８を介さずに直接記録用紙上にトナー像が転写されるため、モノクロ画像の形成にかかる時間が、中間転写体１８を介して行なう場合よりも短縮されている。
【００１０】
ここで、この画像形成装置１に備えられている定着器２０、２１は、同じ種類のものでも何ら問題とはならないことから、構造の簡略化の観点からも１つに集約することが考えられるが、この画像形成装置１では、カラー画像形成時のトナー像の記録用紙への転写とモノクロ画像形成時のトナー像の記録用紙への転写とが、記録用紙の異なる面、すなわちカラー画像形成時には図１に示す矢印Ｄの面、モノクロ画像形成時には図１に示す矢印Ｃの面に行なわれる。したがって、定着器を１つに集約する場合には、記録用紙の表裏いずれの面にトナー像が転写されても正常に定着できる特殊な定着器を備える必要がある。
【００１１】
図２は、特許文献２に提案されている画像形成装置を示す図である。尚、図２に示されている部材で図１に示されている部材と同じ種類の部材には、図１に付されている符号と同じ符号が付されている。
【００１２】
特許文献１に提案されている画像形成装置１では、Ｃ、Ｍ、Ｙ、Ｋ各色の現像器１１、１２、１３、１４が１つの共用の感光体ベルト上にトナー像を形成しているのに対し、図２に示す画像形成装置２では、各色の現像器１１、１２、１３、１４は各色毎に備えられた感光体上にトナー像を形成する。
【００１３】
この画像形成装置２では、各色毎に備えられた感光体上にそれぞれ形成されたトナー像が、張架ロール２７１によって張架された搬送ベルト２７によって搬送される記録用紙上に順次転写されていく形式をとっており、カラー画像形成時とモノクロ画像形成時とでトナー像が転写される記録用紙上の面は同じであるため、記録用紙の片面のみに対応した定着器２０が１つだけ備えられている。また、この画像形成装置２では、モノクロ画像形成時には、Ｋ色用の画像形成エリアとＹ色用の画像形成エリアとの間に記録用紙３０を送り込むことで、モノクロ画像の形成とは無関係な経路を通過してくることによるタイムロスが抑制されている。
【００１４】
しかし、この画像形成装置２では、モノクロ画像形成時においても搬送ベルトがＣ色、Ｍ色、およびＹ色の感光体と接触しているために部材の摩耗が進むおそれがある。
【００１５】
図３は、特許文献３に提案されている画像形成装置を示す図である。
【００１６】
図３に示す画像形成装置３では、図２に示す画像形成装置２と同様に各色毎に感光体が備えられており、各色毎に備えられた感光体上に形成された各色トナー像はＣ、Ｍ、Ｙ、Ｋの順で中間転写ベルト１８上の同じ位置に、各色毎に備えられた一次転写ロール１７１によって一次転写され、積層トナー像が形成される。この積層トナー像は、二次転写ロール１９によって記録用紙３０に一括転写される。
【００１７】
また、この画像形成装置３では、Ｃ、Ｍ、Ｙ各色の現像器１１、１２、１３をそれぞれ含む画像形成部１１０、１２０、１３０が、図示しないステッピングモータの軸に回転軸が直結されたローラ１１０を備えたキャビネット１００に搭載されており、画像形成部１１０、１２０、１３０は、ステッピングモータにより中間転写ベルト１８に接離自在に制御されている。
【００１８】
これにより、画像形成装置３では、モノクロ画像形成時には、Ｃ、Ｍ、Ｙ各色の画像形成部１１０、１２０、１３０を中間転写ベルトから離隔させ、Ｋ色用の画像形成部１４０のみを動作させることができるため、モノクロ画像の形成とは無関係の部材の摩耗を抑制することができる。
【００１９】
しかし、これでは、構造の簡略化という点では問題が残る。
【００２０】
図４は、特許文献４に提案されている画像形成装置を示す図である。
【００２１】
図４に示す画像形成装置４では、Ｋ色用の画像形成部１４０とカラー画像をＣ、Ｍ、Ｙ色用の各画像形成部１１０、１２０、１３０とが分けられた上で、それぞれに記録用紙搬送経路Ｃ、Ｄおよび記録用紙搬送ベルト２７ａ、２７ｂが備えられている。尚、図４には、用紙収容トレイ２６から引き出しローラ２５によって引き出された記録用紙３０を２つの記録用紙搬送ルートＣ、Ｄへ振り分ける分岐装置５０が示されている。
【００２２】
この画像形成装置４では、Ｋ色画像形成部は、その他の画像形成部とは機構上独立しているため、従来のモノクロ画像形成時に発生していた、モノクロ画像形成とは無関係の部材の摩耗が、特許文献３に提案されている画像形成装置３に備えられている離接機構を備えるよりも簡易な機構で抑制できる。
【特許文献１】特開２００１−９２２１４号公報
【特許文献２】特開平１０−２３９９３８号公報
【特許文献３】特開２００１−１５４４４５号公報
【特許文献４】特開２０００−１１２１９７号公報
【発明の開示】
【発明が解決しようとする課題】
【００２３】
しかし、上記特許文献４の画像形成装置４では、モノクロ画像形成時にカラー画像形成部とモノクロ画像形成部の間に記録用紙を送り込む構造となっているため、媒体収容部２６および用紙搬送経路をどのように配置しても、用紙搬送経路の平坦化や短縮化が充分ではなく、用紙ジャムが頻発するおそれがある。
【００２４】
本発明は、上記事情に鑑み、構造が簡易で、かつ用紙ジャムの発生が抑制された画像形成装置を提供することを目的とする。
【課題を解決するための手段】
【００２５】
上記目的を達成するための本発明の画像形成装置は、
トナー像を形成し該トナー像を記録媒体上に転写して定着することにより該記録媒体上に定着トナー像からなる画像を形成する画像形成装置において、
記録媒体が収容される媒体収容部と、
黒トナーを除く複数色のカラートナーを用いてカラートナー像を形成し、上記媒体収容部から繰り出され第１の用紙搬送経路を通過して搬送されてきた記録媒体上に該カラートナー像を転写する第１画像形成部と、
黒トナーによるトナー像を形成し、上記第１画像形成部によりトナー像の転写を受けた記録媒体上、および上記媒体収容部から繰り出され上記第１画像形成部を避けた第２の搬送経路を通過して搬送されてきた記録媒体上に該黒トナーによるトナー像を形成する第２画像形成部とを備え、
上記第２画像形成部は、上記第１画像形成部によりトナー像の転写を受けた記録媒体上に黒トナーによるトナー像を転写する相対的に上記第１画像形成部に近接した第１の転写部と、上記第２の搬送経路を通過して搬送されてきた記録媒体上に黒トナーによるトナー像を、上記第１の転写部における、記録媒体への、転写元のトナー像担持体と同一のトナー像担持体から転写する相対的に第１画像形成部から離れた第２の転写部とを有するものであることを特徴とする。
【００２６】
本発明の画像形成装置の、黒トナーによるトナー像が形成される第２画像形成部には、カラー画像形成時に利用される第１の転写部と、モノクロ画像形成時に利用される第２の転写部との２つの転写部が備えられており、第２画像形成部が１つの転写部において、モノクロ画像形成とカラー画像形成双方に対応していた従来と比べ、用紙搬送経路のレイアウトについての自由度が高い。このため、本発明の画像形成装置によれば、用紙ジャムの抑制に寄与することができる。また、黒トナーによるトナー像が形成される第２画像形成部の２箇所の転写部では、双方共に同一のトナー像担時体を転写元としているため、画像形成が、カラーであっても、あるいはモノクロであっても常にトナー像は記録用紙の特定面に転写されるため、定着器を複数設けたり、特殊な構成の定着器を設けておく必要がないことにより機構の簡易化が図られており、第１画像形成部と第２画像形成部とを独立に動作させる機構も、従来の機構よりも簡易化されている。
【００２７】
ここで、上記第１搬送経路と上記第２搬送経路は、上記媒体収容部近傍において該媒体収容部から見て相互に反対側に設けられたものであって、上記媒体収容部に収容された記録媒体を上記第１搬送経路側に繰り出して該第１搬送経路に渡す該第１繰出部と、上記媒体収容部に収容された記録媒体を上記第１繰出部による繰り出す方向とは反対の方向に繰り出して上記第２搬送経路に渡す第２繰出部とを備えたものであることが好ましい。
【００２８】
このようにすると、さらに用紙ジャムを抑制することができる。
【００２９】
また、上記第１画像形成部と第２画像形成部との離間長さをなるべく短くすることが好ましい。
【００３０】
このようにすると、カラー画像形成時の黒トナーの印刷位置精度をより良好に保つことができる。
【００３１】
また、上記第２画像形成部における記録媒体へのトナー像の転写元となるトナー像担持体は、循環移動する無端ベルト上の部材であってもよい。
【００３２】
このようにすると、中間転写体を介さないようにすることができるため、特にモノクロ画像形成におけるファーストプリントアウトまでの時間を短縮することができる。
【００３３】
ここで、本発明の画像形成装置が、上記第２画像形成部により黒トナーのトナー像の転写を受けた後の記録媒体上のトナー像を定着する定着器を備え、該定着器は、上記第１の転写部よりも上記第２の転写部に近接した位置に配備されたものであることも好ましい態様である。
【００３４】
このようにすると、モノクロ画像形成におけるファーストプリントアウトまでの時間を短縮することができる。
【発明の効果】
【００３５】
本発明の画像形成装置によれば、構造を簡易にすることができると共に、用紙ジャムの発生も抑制することができる。
【発明を実施するための最良の形態】
【００３６】
以下、本発明の画像形成装置の実施形態について説明する。
【００３７】
図５は、本発明の画像形成装置の第１実施形態の概略構成図である。
【００３８】
図５に示すプリンタ２００は、フルカラーの印刷が可能であると共に、モノクロ印刷時には、印刷速度アップのために記録用紙の搬送経路が切り替えられるプリンタである。
【００３９】
図５に示すプリンタ２００は、図５の右から順にＹ（イエロー）色担当の画像形成部２００Ｙ、Ｍ（マゼンタ）色担当の画像形成部２００Ｍ、Ｃ（シアン）色担当の画像形成部２００Ｃ、およびＫ（黒）色担当の画像形成部２００Ｋを有しており、Ｙ、Ｍ、Ｃ、Ｋ色担当の画像形成部２００Ｙ、２００Ｍ、２００Ｃ、２００Ｋにおけるトナー像形成については、代表的にＹ色担当の画像形成部２００Ｙを取りあげて説明する。まず、帯電器２０２Ｙにより矢印Ｘ方向に回転する感光体２０１Ｙの表面を所定極性で均一に帯電させた後に露光が露光器２０３Ｙによって行なわれる。露光器２０３Ｙは、ＬＥＤの書き込み系ユニットであり、感光体２０１Ｙの表面を露光して静電潜像を形成する。その後、その静電潜像は現像器２０４Ｙによって現像される。現像器２０４Ｙは、イエローのトナーで感光体２０１Ｙ上の静電潜像を現像してトナー像に顕像化させる。尚、Ｋ色担当の画像形成部２００Ｋでは、感光体２０１Ｋは、Ｙ、Ｍ、Ｃ色担当の画像形成部２００Ｙ、２００Ｍ、２００Ｃの感光体の回転方向である矢印Ｘとは逆向きの矢印Ｙ方向に回転している。
【００４０】
各画像形成部では、上述のように、それぞれに備えられている感光体上に各色のトナー像が形成されるが、Ｙ色、Ｍ色、およびＣ色担当の画像形成部とＫ色担当の画像形成部とでは、異なる方式で記録用紙への転写が行なわれている。Ｙ、Ｍ、Ｃ色担当の３つの画像形成部では、これらに共通に備えられている用紙搬送ベルト２１０上に搬送ローラ２６０によって搬送されてきた記録用紙３００に、各感光体上に形成されたトナー像が一次転写ロール２０７Ｙ、２０７Ｍ、２０７Ｃにより直接転写される。一方、Ｋ色担当の画像形成部の感光体上に形成されたトナー像は、一旦、張架ローラ２２０ａによって所定のルートを循環する中間転写ベルト２２０に一次転写器２２３によって一次転写された後に、詳しくは後述するが、Ｙ、Ｍ、Ｃの３つの画像形成部によるトナー像の転写を受けた記録用紙、あるいは、これとは別のルートで搬送されてくる記録用紙に二次転写される。その後、定着器２３０によってトナー像は記録用紙上に定着される。
【００４１】
図５に示すプリンタ２００には、記録用紙を収容する用紙収容トレイが２段備えられており、図５に示される２段のトレイのうち、上段側が、その右上端近傍に備えられた第１引き出しローラ２４０によって引き出された記録用紙を搬送ルートＥを経由してＹ、Ｍ、Ｃ３つの画像形成部側に供給する第１用紙トレイ２７０であり、下段側が、その左上端近傍に備えられた第２引き出しローラ２５０によって引き出された記録用紙を搬送ルートＦを経由して直接、Ｋ色担当の画像形成部に供給する第２用紙トレイ２８０である。尚、第１引き出しローラ２４０および第２引き出しローラ２５０は、図示しないＣＰＵによってその回転するタイミングが制御されている。
【００４２】
以下、このプリンタ２００における、カラー画像形成動作とモノクロ画像形成動作とについて説明する。
【００４３】
このプリンタ２００においてカラー画像を形成する場合には、まず、イエローの画像形成部２００Ｙによるトナー像形成が開始され、感光体２０１Ｙ上に形成されたトナー像は、第１用紙トレイ２７０から第１引き出し部２４０によって引き出され搬送ルートＥを経由して搬送されて搬送ベルト２１０上に載置された記録用紙上に転写ロール２０７Ｙによって転写される。
【００４４】
搬送ベルト２１０は、張架ロール２１０ａによって所定のルートを矢印ＸＸ方向に循環移動しており、この搬送ベルト上に載置された記録用紙上に転写されたイエローのトナー像が次の色の画像形成部２００Ｍの転写ロール２０７Ｍに到達するタイミングに合わせて、次の色のマゼンタのトナー像が転写ロール２０７Ｍに到達するように、マゼンタの画像形成部２００Ｍによるトナー像形成が行なわれる。こうして形成されたマゼンタのトナー像は、転写ロール２０７Ｍにおいて記録用紙上のイエローのトナー像の上に重ねて転写される。
【００４５】
続いて、シアンの画像形成部２００Ｃによるトナー像形成が上記と同様のタイミングで行われ、転写ロール２０７Ｃにおいて記録用紙上のイエローおよびマゼンタのトナー像の上にシアンのトナー像が重ねて転写される。
【００４６】
こうして、搬送ベルト２１０上に載置され、イエロ、マゼンタ、およびシアンからなる積層トナー像が転写された記録用紙は、黒の画像形成部２００Ｋ側に送られ、今度は、矢印ＹＹ方向に循環する中間転写ベルト２２０上に既に一次転写ロール２２３によって転写済みの黒色トナー像が、積層トナー像の上に二次転写ロール２２１によって転写され、定着器２３０を経由した後、図示しない排紙トレイに排出される。尚、黒の画像形成部２００Ｋには、２つの二次転写ロール２２１、２２２が備えられており、このうちシアンの画像形成部２００Ｃに近接した方の二次転写ロール２２１は、カラー画像形成の際に利用され、また、もう一方の、定着器２３０に近接した方の二次転写ロール２２２は、次に説明するモノクロ画像形成の際に利用される。
【００４７】
モノクロ画像形成の場合には、まず、黒の画像形成部２００Ｋによるトナー像形成が開始された後、矢印ＹＹ方向に循環する中間転写ベルト上に一次転写ロール２２３によって転写された黒色トナー像は、第２用紙トレイ２８０から第２引き出し部２５０によって引き出され搬送ルートＦを経由して搬送されてきた記録用紙上に、定着器２３０に近接した方の二次転写器２２２によって転写される。その後、その記録用紙は、定着器２３０を経由して、図示しない排紙トレイに排出される。
【００４８】
上述したように、本実施形態のプリンタ２００では、イエロー（Y）、マゼンタ（M）、シアン（C）のカラー画像形成部と、ブラック（K）のみのモノクロ画像形成部とが機構上独立に備えられており、モノクロ画像形成時における無関係な部材の摩耗が、Ｙ、Ｍ、Ｃ各色の画像形成部２００Ｙ、２００Ｍ、２００Ｃを離接させる離接装置を備える場合よりも簡易な機構で抑制されており、これに付随してモノクロ画像形成のプロセス速度を、カラー印刷時に比して高速化できる。また、このプリンタ２００では、記録用紙が、２箇所の二次転写位置それぞれにおいて、共に同じ中間転写ベルト２２０から転写を受けているため、カラー印刷、モノクロ印刷を問わず、常にトナー像は記録用紙の特定面（片面）に転写されるため、定着器を複数設けたり、特殊な構成の定着器を設けておく必要がない。さらに、このプリンタ２００では、カラー画像形成時に利用される二次転写位置と、モノクロ画像形成時に利用される二次転写位置との２つの転写位置が備えられていることから、従来と比べ、用紙搬送経路のレイアウトについての自由度が高いため、用紙ジャムの抑制に効果的である。また、記録用紙を互いに反対方向に引き出し、モノクロ印刷時の記録用紙搬送経路を平坦化できたことで、さらに用紙ジャムの発生を抑制することができる。
【００４９】
図６は、本発明の画像形成装置の第２実施形態の概略構成図である。
【００５０】
図６に示すプリンタ３００と第１実施形態であるプリンタ２００との相違点は、Ｋ色の画像形成部だけであるので、以下ではこの点のみを説明する。
【００５１】
図６に示す、プリンタ３００のＫ色の画像形成部３００Ｋは、感光ベルト３２０、帯電器３０２Ｋ、露光器３０３Ｋ、現像器３０４Ｋ、張架ローラ３２０ａ、互いに異なる位置に配置された転写ローラ３２１、３２２で構成されている。
【００５２】
第１実施形態のプリンタ２００のＫ色の画像形成部２００Ｋが中間転写ベルト２２０を介して記録用紙に黒色トナー像の転写を行なっていたのに対し、この画像形成部３００Ｋでは、カラー画像形成時にはＣ色の画像形成部３００Ｃに近接して配置されている方の転写ロール３２１によって直接黒色トナー像を転写している。また、モノクロ画像形成時には定着装置２３０に近接した位置に配置されている方の転写ロール３２２によって記録用紙に直接黒色トナー像を転写している。
【００５３】
したがって、プリンタ３００によれば、モノクロ画像形成の場合において、中間転写ベルトを介さない分ファーストプリントアウトまでの時間を第１実施形態のプリンタ２００に比べさらに速めることができる。
【図面の簡単な説明】
【００５４】
【図１】特許文献１に提案されている画像形成装置の概略構成図である。
【図２】特許文献２に提案されている画像形成装置を示す図である。
【図３】特許文献３に提案されている画像形成装置を示す図である。
【図４】特許文献４に提案されている画像形成装置を示す図である。
【図５】本発明の画像形成装置の第１実施形態の概略構成図である。
【図６】本発明の画像形成装置の第２実施形態の概略構成図である。
【符号の説明】
【００５５】
２００、３００  プリンタ
２００Ｙ、２００Ｍ、２００Ｃ、２００Ｋ  画像形成部
２０１Ｙ、２０１Ｍ、２０１C、２０１Ｋ  感光体
２０２Ｙ、２０２Ｍ、２０２C、２０２Ｋ、３０２Ｋ  帯電器
２０３Ｙ、２０３Ｍ、２０３C、２０３Ｋ、３０３Ｋ  露光器
２０４Ｙ、２０４Ｍ、２０４C、２０４Ｋ、３０４Ｋ  現像器
２０７Ｙ、２０７Ｍ、２０７C、２０７Ｋ  一次転写ロール
２１０、３１０  用紙搬送ベルト
２１０ａ、３１０ａ  張架ローラ
２２０、３２０  中間転写ベルト
２２０ａ、３２０ａ  張架ローラ
２２１、３２１  一次転写ロール
２２２、２２３、３２２、３２３  二次転写ロール
２３０  定着器
２４０  第１引き出しローラ
２５０  第２引き出しローラ
２６０  搬送ローラ
２７０  第１用紙トレイ
２８０  第２用紙トレイ
【図１】
2005114760.tif 000003
【図２】
2005114760.tif 000004
【図３】
2005114760.tif 000005
【図４】
2005114760.tif 000006
【図５】
2005114760.tif 000007
【図６】
2005114760.tif 000008